(57)【要約】【課題】  広口の花瓶に、一輪挿しや少数の花を花立てをするには、これを適合させるためのアダプターが必要である。【解決手段】  球状の立体物を使用するが、具体的一例として、約ゴルフボールの大きさの球に口径３〜４ｃｍの貫通孔を設けてアダプターとし、これを花瓶の口部又は内周面に置く（下細りの花瓶の時）。  設置後、前記貫通孔に、花の一輪等を挿通させる。  次に、花瓶に置かれたアダプターを、花瓶の立設に対する置設角度を変化させるように回動させれば、結果的に貫通孔の口径が小さくなる効果がでるので、花瓶の中央に一輪挿し等の花立てができる。【選択図】図３
2017042570.tif 000002
【特許請求の範囲】
【請求項１】
花瓶の口部や内周面の一部又は全部に接する立体形状物であり、かつ花束を挿通する貫通孔を設けた立体形状物であり、花瓶の立設方向に対する前記貫通孔の角度を変化させることができ、かつ前記角度を安定的に保持できる立体形状物である花瓶の口径調節具。
【請求項２】
球体または略球体の立体形状物である請求項１に記載の花瓶の口径調節具。
【請求項３】
花束を挿通する貫通孔の内周端部に接して延設されたフランジ部を設けた球体たは略球体の立体形状物である請求項２に記載の花瓶の口径調節具。
【請求項４】
花瓶の口部や内周面の一部又は全部に接する立体形状物であり、かつ花束を挿通する貫通孔を設けた立体形状物であり、前記貫通孔が２箇所以上設けられた立体形状物である花瓶の口径調節具。
【発明の詳細な説明】
【技術分野】
【０００１】  本発明は、花瓶の口部の径の大きさを、小さい方に向かって調節し得るようにするものです。
【背景技術】
【０００２】  大きな口径の花瓶の真中に、一輪挿しの花を立てるのは、簡単ではなかった。
【先行技術文献】
【特許文献】
【０００３】
【特許文献１】  特開２００４−１４７７３１
【特許文献２】  特開２０１４−０７６２２０
【特許文献３】  実登３１６８２９１
【特許文献４】  実登３０３４１５２
【発明の概要】
【発明が解決しようとする課題】
【０００４】  大きな口径の花瓶の真中に、一輪挿しや少量の花束を、まとめ良く花立てる。
【課題を解決するための手段】
【０００５】  ボール状の球形物に、花束を通す貫通孔を設け、これを花瓶の口部又は内周面に置いて花束を通し、貫通孔を傾斜させることにより口径を変化させ、前記花束に適した口径にして、花瓶の口径の中央に花立をする。
【発明の効果】
【０００６】  広口の花瓶に、少量の花束や一輪挿しの花を立てるには、何かと手間がかかるが、本発明品により広口の花瓶の口径を簡単に変化させ得るので、花瓶口部の真中にきれいに花立ができます。
【図面の簡単な説明】
【０００７】
【図１】口径調節具の斜視図
【図２】口径調節具を口径の異なる花瓶に設置した斜視図
【図３】花瓶に一輪挿しをした原理断面図
【図４】口径調節具にフランジを設けた上面図平面図
【図５】口径調節具にひも孔を設けた原理図
【図６】６面体の口径調節具
【図７】逆筒状円錐体の形状の口径調節具
【図８】筒状円錐体の形状の口径調節具
【図９】フランジ部を設けた筒状円錐体の形状の口径調節具
【発明を実施するための形態】
【０００８】  以下、本発明の実施の形態を図に基づいて説明すると、
【０００９】  図１は、ゴルフボールのような、球形物に、花束を通すための貫通孔である挿花孔（２）を設けた、本発明品の口径調節具（１）です。
【００１０】  この口径調節具（１）を、花瓶に設置した様子が図２ですが、花瓶の口径の大小に応じて、花瓶の口径部や、また内周部へ、おのずと対応した位置に前記口径調節具が設置されることになります。  前記口径調節具は、球状なので、花瓶の口部や内周部の形状が円以外の四角形等でも、おのずと対応した位置に設置されます。
【００１１】  挿花孔（２）は、花束を挿通し易いように、中央部より上部の口径を少し大きくしてあります。  前記挿花孔の口径を少し大きくしていくと、球形物に貫通孔を設けた形状というより、ほとんどドーナツ形状になりますが、前記ドーナッツ形状の口径調節具も、球形物の口径調節具に含まれます。  また前記挿花孔は図では円形ですが、四角形等に形成することもできます。
【００１２】  ここで図３のように、口径調節具（１）に、一輪の花（４）を挿し、前記口径調節具を花瓶中で回動させて置設角度を変化させた状態図が図３ですが、、花瓶（３）の立設線に対して、挿花孔（２）の置設角度が変化することで、結果的に前記挿花孔の口径が小さくなる効果により、前記一輪の花は、花瓶（３）の口部中央に花立てすることができます。
【００１３】  花束を挿花孔（２）に挿通した時、  前記挿花孔を傾斜させる度合いは、花束の太さでおのずと決まり、また前記花束は、おのずと花瓶（３）の口部の中央に導かれます。
【００１４】  花瓶の口径等が大きく又その他の理由のため、口径調節具（１）が花瓶の底に落ちてしまうような時に対処すべく、図５でひも孔（５）を設けました。  ひも孔（５）は、口径調節具（１）の上部から挿花孔（２）に開けた貫通孔で、ここにひもや園芸用針金等を使用して花瓶に固定します。  前記口径調節具の上部に、ひもなどを係止できる突起や切り込みを設けることで、前記ひも孔と同じような効果を得られます。  花瓶の同じような用途で使用される、墓石の花立器などにおいては、前記口径調節具の前記ひも孔等の係止装置と前記花立器を鎖等で連結して、前記口径調節具の紛失に対処する用途などにも使用できます。
【００１５】  図４は、口径調節具（１）の上部にフランジ部（６）を設けたものであり、図では黒帯で描かれた円周部分です。  前記フランジ部は上方の口径が大きいテーパ状になっているため、花束を挿花孔（２）に導きやすい形状になっています。
【００１６】  フランジ部（６）は、口径調節具（１）を花瓶のなかで傾斜させる際、つまみとしての機能も重宝されます。  前記フランジ部を横に広げてその直径が、口径調節具（１）の直径より大きくすれば、それに対応してより大きい口径の花瓶にも対応できます。
【００１７】  図６は、６面体の口径調節具ですが、３方向にそれぞれ径の異なる貫通孔である挿花孔（２ａ、２ｂ、２ｃ）を設けています。２ａ’は一輪挿し専用の貫通孔です。  花束の太さで、異なる前記挿花孔が使用できる明確なアピールができます。  この、３方向にそれぞれ径の異なる貫通孔は、球形においても同じように形成できます。
【００１８】  墓用の花立器も、花瓶とみなすことができると思いますが、ここでの口径調節具は耐候性の観点から、陶磁器やセラミックでの形成が適しています。
【００１９】  材質的な事については、口径調節具（１）をスポンジなどの形状変化率の大きい材質で形成した時は、花瓶の口径や形状への対応性が高いが、挿花孔（２）の形状も変化し易く、また軽くて水に浮きやすい難がありますが、ゴムなどでは大きな形状変化率は得られないが、挿花孔（２）の形状などは安定し、滑りにくいので適しています。  ガラス製や金属製では、その重量ゆえに、安定的に花瓶に設置できますが、金属製は特に重いので、中空の球にパイプの組み合わせのような形成で、口径調節具とすることも考えられます。
【００２０】  形状的な事については、図１の口径調節具（１）を、前記図に示したボール状の球体で形成するほか、楕円体・卵形体・サイコロ形などの６面体やその他の多面体・魚が口をパクリと開いた状態の外形を略楕円体にして、口の部分を挿花孔にするなどのデザインされたもの・フランジ部の上部に動植物をデザインするなどが形成できます。  球体を半分にした下半分の半球体での口径調節具も考えられますが、これも挿花孔の口径を大きくしていくと、結果的には略ドーナツ形状となり、機能的に球体との差異はありません。
【００２１】  図７の口径調節具（１ａ）は、筒状の円錐体の頭部を切って逆さまにした逆筒状円錐体の形状をしているため、花瓶（３ａ）の口部に設置した時、テーパー状であるため、前記花瓶の口径に見合った位置で安定的に設置されます。
【００２２】  花束を口径調節具（１ａ）の上部開口部より挿すと、挿花孔（２ｄ）の口径の範囲内でまとまって保持されます。  図では、花束を一輪の花（４）で表現しています。
【００２３】  挿花孔（２ｄ）は、花瓶（３ａ）の口径より小さい口径なので、小さい花束に適した口径を持つ花瓶に変化します。
【００２４】  図７の口径調節具（１ａ）の胴部は、直線のテーパー状に描かれていますが、球の一部の形状である円弧状であることもできます。  また、円錐体のほか四角錐体や多角椎体であることもできます。
【００２５】  花瓶（３ａ）の口部周縁部と接する、口径調節具（１ａ）の胴部の外側周縁部とは、花束の挿通の際などで滑りやすいので、ゴムなどの滑りにくい材質のものを使用するか、前記胴部の外側周縁部をギザギザ又は波形など、凹凸面を形成することで、より安定的に使用できます。
【００２６】  開口部（７ａ）の周縁部に接してフランジ部を延設すれば、より口径の大きい花瓶の口径調節具として対処できます。
【００２７】  図８の口径調節具（１ｂ）は、頭部なしの筒状円錐体の形状であり、花瓶（３ａ）の口部にかぶせて設置した時、テーパー状であるため、前記花瓶の口径に見合った位置で安定的に設置されます。
【００２８】  花瓶（３ａ）の口径より小さい口径の挿花孔（２ｅ）より花束等を挿します。
【００２９】  図８の口径調節具（１ｂ）の胴部は、直線のテーパー状に描かれていますが、球の一部の形状である円弧状であることもできます。  また、円錐体のほか四角錐体や多角椎体であることもできます。
【００３０】  花瓶（３ａ）の口部周縁部と接する、口径調節具（１ａ）の胴部の内側周縁部とは、花束の挿通の際などで滑りやすいので、ゴムなどの滑りにくい材質のものを使用するか、前記胴部の内側周縁部をギザギザ又は波形など、凹凸面を形成することで、より安定的に使用できます。
【００３１】  図９の口径調節具（１ｃ）も、頭部なしの筒状円錐体の形状でありますが、前記口径調節具の内周面に接してフランジ部（８）を設けて、前記フランジ部の中央孔を、挿花孔（２ｆ）としています。  前記フランジ部は、ドーナッツ状の環状物を前記口径調節具の内周面からステーで支持して形成するような形状にすることもできます。
【００３２】  挿花孔（２ｆ）を筒状円錐体の内部に設けることにより、開口部（７ｃ）の目径を大きくとれるので、花の水遣りが楽にできます。
【００３３】  筒状円錐体の外側はいろいろな飾りつけやデザイン、印刷などもでき、美的に満足できる構成を施しやすいです。
【００３４】  図９の口径調節具（１ｃ）の胴部は、直線のテーパー状に描かれていますが、球の一部の形状である円弧状であることもできます。  また、円錐体のほか四角錐体や多角椎体であることもできます。
【符号の説明】
【００３５】  １  口径調節具
１ａ〜１ｃ  口径調節具
２  挿花孔
２ａ〜２ｆ  挿花孔
３  花瓶
３ａ  花瓶
４  一輪の花
５  ひも孔
６  フランジ部
７ａ〜７ｄ  開口部
８  フランジ部
【図１】
2017042570.tif 000003
【図２】
2017042570.tif 000004
【図３】
2017042570.tif 000005
【図４】
2017042570.tif 000006
【図５】
2017042570.tif 000007
【図６】
2017042570.tif 000008
【図７】
2017042570.tif 000009
【図８】
2017042570.tif 000010
【図９】
2017042570.tif 000011